(57)【要約】【課題】防犯ブザー鳴動開始後の緊急音声通話に関して携帯端末の機能性や利便性の向上を高める。【解決手段】防犯スイッチが入りになると防犯ブザー３０２の鳴動が開始し、防犯ブザー３０２の鳴動中に音声通話が開始されると防犯ブザー３０２の鳴動を一時停止する又は防犯ブザー３０２の鳴動の音量を低減することより、防犯ブザー３０２の鳴動に邪魔されることなく音声通話が聞き取りやすくなり、音声通話が終了すると防犯ブザー３０２の鳴動が再開されることによって、防犯の必要を周囲に知らせることができる。防犯ブザー３０２の鳴動が再開される場合に防犯ブザー３０２の鳴動の音量を徐々にあげていくと、通話相手を驚かせることもない。【選択図】図１
2018129778.tif 000002
【特許請求の範囲】
【請求項１】
防犯ブザー機能付携帯端末であって、
防犯スイッチが入りになると防犯ブザーの鳴動を開始させる第一のブザー鳴動開始手段と、
前記防犯ブザーの鳴動中に音声通話が開始された場合には、前記防犯ブザーの鳴動を一時停止する又は前記防犯ブザーの鳴動の音量を低減する鳴動低下手段と、
前記音声通話が終了した場合には、前記防犯ブザーの鳴動を再開する第二のブザー鳴動開始手段を備えることを特徴とする携帯端末。
【請求項２】
前記第二のブザー鳴動開始手段は、前記防犯ブザーの鳴動の音量を段階的にあげることを特徴とする請求項１に記載の携帯端末。
【請求項３】
電話番号を予め登録した登録電話番号記憶部と、前記防犯スイッチが入りになると前記電話番号に対して音声通話の発呼を行う音声発呼手段とを、更に備えたことを特徴とする請求項１又は２に記載の携帯端末。
【請求項４】
前記登録電話番号記憶部に登録された電話番号が複数の場合には、前記音声発呼手段は予め定めた順位に応じて順位の高い電話番号から発呼して、その発呼から所定時間経過しても前記音声通話が開始されない場合には次の順位の電話番号に発呼することを特徴とする請求項３に記載の携帯端末。
【請求項５】
テキストメッセージ送信先アドレスを予め登録した登録メールアドレス記憶部と、前記防犯スイッチが入りになると前記テキストメッセージ送信先アドレスに対して防犯ブザー起動情報、前記携帯端末の位置情報、及び前記携帯端末の電話番号を含むテキストメッセージを送信するテキストメッセージ送信手段とを、更に備えることを特徴とする請求項１から請求項３のいずれか１項に記載の携帯端末。
【請求項６】
前記防犯スイッチが入った後は登録電話番号記憶部に緊急時着信電話番号として予め登録されている電話番号からの着信のみを着信する着信限定手段を、更に備えたことを特徴とする請求項１から請求項４のいずれか１項に記載の携帯端末。
【発明の詳細な説明】
【技術分野】
【０００１】
本発明は防犯ブザー機能を備えた携帯端末の技術に関する。
【背景技術】
【０００２】
主に子供向けに、防犯ブザー機能を備えた携帯端末が知られている。防犯ブザー機能を備えた携帯端末は、防犯ブザーの起動スイッチ、例えば、携帯端末に備わったストラップをひくと、防犯ブザーの鳴動が開始する。そして予め登録した発信先に音声発呼を行い、緊急時の音声通話か可能な携帯端末がある。（例えば、特許文献１参照）。
【先行技術文献】
【特許文献】
【０００３】
【特許文献１】特開２０１５−１１９３１６号公報
【発明の概要】
【発明が解決しようとする課題】
【０００４】
防犯ブザー鳴動開始後の緊急音声通話に関して携帯端末の機能性や利便性の向上が望まれていた。
【課題を解決するための手段】
【０００５】
請求項１に記載の発明では、防犯ブザー機能付携帯端末であって、防犯スイッチが入りになると防犯ブザーの鳴動を開始させる第一のブザー鳴動開始手段と、前記防犯ブザーの鳴動中に音声通話が開始された場合には、前記防犯ブザーの鳴動を一時停止する又は前記前記ブザーの鳴動の音量を低減する手段と、前記音声通話が終了した場合には、前記防犯ブザーの鳴動を再開する第二のブザー鳴動開始手段を備えることを特徴とする携帯端末を提供する。
請求項２に記載の発明では、前記第二のブザー鳴動開始手段は、音量を段階的にあげることを特徴とする請求項１に記載の携帯端末を提供する。
請求項３に記載の発明では、電話番号を予め登録した登録電話番号記憶部と、前記防犯スイッチが入りになると前記登録電話番号に対して音声通話の発呼を行う音声発呼手段とを更に備えたことを特徴とする請求項１又は２に記載の携帯端末を提供する。
請求項４に記載の発明では、前記登録電話番号記憶部に登録された登録電話番号が複数の場合には、前記音声発呼手段は予め定めた順位に応じて順位の高い登録番号から発呼して、その発呼から所定時間経過しても前記音声通話が開始されない場合には次の順位の電話番号に発呼することを特徴とする請求項３に記載の携帯端末を提供する。
請求項５に記載の発明では、テキストメッセージ送信先アドレスを予め登録した登録メールアドレス記憶部と、前記防犯スイッチが入りになると前記テキストメッセージ送信先アドレスに対して防犯ブザー起動情報、前記携帯端末の位置情報、及び前記携帯端末の電話番号を含むテキストメッセージを送信するテキストメッセージ送信手段とを更に備えたことを特徴とする請求項１から請求項３のいずれか１項に記載の携帯端末を提供する。
請求項６に記載の発明では、前記防犯スイッチが入った後は登録電話番号記憶部に緊急時着信電話番号として予め登録された電話番号からの着信のみを着信する着信限定手段を更に備えたことを特徴とする請求項１から請求項４のいずれか１項に記載の携帯端末を提供する。
なお、上記の発明の概要は、本発明の必要な特徴の全てを列挙したものではない。また、これらの特徴群のサブコンビネーションもまた、発明となりうる。
【発明の効果】
【０００６】
本発明は、防犯ブザーの鳴動中に音声通話が開始されると、防犯ブザーの鳴動を一時停止する又は防犯ブザーの鳴動の音量を低減することより、防犯ブザーの鳴動に邪魔されることなく音声通話が聞き取りやすくなり、音声通話が終了すると、防犯ブザーの鳴動が再開されることによって、防犯の必要を周囲に知らせることができ、防犯ブザー鳴動開始後の緊急音声通話に関して携帯端末の機能性や利便性が向上する。
【図面の簡単な説明】
【０００７】
【図１】防犯ブザー機能付携帯端末１の一例を概略的に示す。
【図２】防犯ブザー機能付携帯端末１が接続するネットワーク構成の一例を概略的に示す。
【図３】防犯ブザー機能付携帯端末１の機能構成を概略的に示す。
【図４】防犯ブザー機能付携帯端末１の防犯ブザー鳴動パターンを概略的に示す。
【図５】防犯ブザー機能付携帯端末１の防犯ブザー機能起動時の流れの一例を概略的に示す。
【図６】防犯ブザー機能付携帯端末１の防犯ブザー機能起動時の流れの一例を概略的に示す。
【図７】防犯ブザー機能付携帯端末１の防犯ブザー機能起動時の自動発呼先テーブルの一例を概略的に示す。
【図８】防犯ブザー機能付携帯端末１の防犯ブザー機能起動時のテキストメッセージ発信先テーブルの一例を概略的に示す。
【発明を実施するための形態】
【０００８】
以下、発明の実施の形態を通じて本発明を説明するが、以下の実施形態は特許請求の範
囲にかかる発明を限定するものではない。また、実施形態の中で説明されている特徴の組
み合わせの全てが発明の解決手段に必須であるとは限らない。
【０００９】
図１は、防犯ブザー機能付携帯端末１の一例を概略的に示す。防犯ブザー機能付携帯端末１には防犯ストラップ１０が備わっている。防犯ブザー機能付携帯端末１に電池が装備され、防犯ブザー機能付携帯端末１に設けられた防犯ブザー３０２が鳴動していない状態において、防犯ブザー機能付携帯端末１のユーザが防犯ストラップ１０をひくと、防犯ブザー機能付携帯端末１内部の防犯スイッチが入りとなり、防犯ブザー３０２の鳴動が、前記電池からの電力で、図４に示す第一の鳴動パターン４０のように設定された最大値の音量で開始される。防犯スイッチが入った後は、前記ユーザが防犯ストラップ１０を引き続けなくても防犯ブザー３０２の鳴動は継続する。防犯ストラップ１０から引く力が解除されると、防犯ストラップ１０は防犯ブザー機能付き携帯端末１内部の弾性部材によって引かれるよりも以前の元に位置に復帰する。
【００１０】
前記のように、防犯ブザー３０２が鳴動した状態において、防犯ブザー機能付携帯端末１と通信相手機器との間での通話が開始すると、防犯ブザー３０２の鳴動が図４に示す第一の鳴動パターン４０のように一時的に停止する。このように防犯ブザー３０２の鳴動が一時的に停止すると、防犯ブザー３０２の鳴動が防犯ブザー機能付携帯端末１と通信相手機器との通話を妨げることはない。防犯ブザー機能付携帯端末１と通信相手機器との通話の開始によって、防犯ブザー３０２の鳴動を一時的に停止するのではなく、通話が可能な程度に防犯ブザー３０２の鳴動の音量を低下してもよい。このように通話が可能な程度に防犯ブザー３０２の鳴動の音量を低下すると、防犯ブザー３０２の鳴動が通信相手機器から微弱ながら聞こえれば、通話相手に緊急事態への気づきを与えることができる。
【００１１】
前記のように、防犯ブザー３０２の鳴動が防犯ブザー機能付携帯端末１と通信相手機器との通話の開始によって一時的に停止又は低下した状態において、防犯ブザー機能付携帯端末１と通信相手機器との間での通話が終了すると、防犯ブザー３０２の鳴動が図４に示す第二の鳴動開始パターン４１のように前記電池の電力で再開される。防犯ブザー３０２の鳴動が再開される場合、防犯ブザー３０２の鳴動を図４に示す第一の鳴動パターン４０のように最大値の音量にいきなりすると、通話相手を驚かせてしまう恐れがあることから、図４の第二の鳴動開始パターン４１のように防犯ブザー３０２の鳴動の音量を段階的にあげていくステップトーン方式にて音量をある程度の時間をかけて最大値まであげる。このように、防犯ブザー３０２の鳴動が再開された状態において、防犯ブザー機能付携帯端末１の利用者が防犯ストラップ１０を引くことにより、防犯スイッチが切れて防犯ブザー３０２の鳴動が止まり、防犯ブザー機能付き携帯端末１は防犯ブザーの鳴動が図４に示す第一の鳴動パターン４０で開始されるよりも前の状態に復帰する。
【００１２】
本実施例では防犯スイッチを入り切りする部材を防犯ストラップ１０としたが、防犯スイッチを入り切りする部材はボタン式など紐式以外でもでもよい。又、防犯スイッチが入り、防犯ブザー３０２の鳴動が図４に示す第一の鳴動パターン４０に基づいて開始してから図４に示す第二の鳴動パターン４１に基づいて段階的に最大値になるまでの間において、防犯ブザー機能付携帯端末１のユーザが防犯ストラップ１０を引くことにより、防犯ブザーの鳴動が止まり、防犯ブザー機能付き携帯端末１は防犯ブザー３０２が鳴動するよりも前の状態に復帰する。例えば、防犯ブザー３０２の鳴動が図４に示す第一の鳴動パターン４０に基づいて開始してから防犯ブザー機能付携帯端末１と通信相手機器との間での通話が開始されるよりも前までの間において、又は、防犯ブザー３０２の鳴動が防犯ブザー機能付携帯端末１と通信相手機器との間での通話が開始されて一時的に停止してから防犯ブザー機能付携帯端末１と通信相手機器との間での通話が終了するよりも前の間において、又は、防犯ブザー３０２の鳴動が図４に示す第二の鳴動パターン４１に基づいて段階的に上がっていくように開始してから最大値になるよりも前までの間において、防犯ストラップ１０が引かれると、防犯スイッチが切りとなり、防犯ブザー３０２の鳴動が停止し、それ以降における防犯ブザー３０２の鳴動の音量を段階的にあげていく動作は発生しない。なお、防犯スイッチを切る場合に防犯ストラップ１０を引くのではなく、停止ボタンを別に設け、前記ユーザが当該停止ボタンを押すことによって防犯スイッチが切れるようにしてもよい。
【００１３】
防犯ブザー機能付携帯端末１には画面表示部１２が備わっている。画面表示部１２は、防犯ブザー機能付携帯端末１の動作状態表示、メール機能表示、各種登録内容表示、設定表示などユーザとの視覚的なユーザインターフェースを提供する。操作ボタン１６はユーザに対して画面表示部１２と連動して防犯ブザー機能付携帯端末１へのテキスト入力や機能選択・設定等を含む入力機能を提供する。通話ボタン１４は、音声通話の発信・切断機能を提供する。なお本実施例でボタン式のユーザインターフェースとしたが、通話ボタン１４を画面表示部１２に備えたタッチパネル方式によるユーザインターフェースであってもよい。
【００１４】
防犯ブザー３０２が鳴動する前の状態においては、防犯ブザー機能付携帯端末１は音声通話機能と、テキストやイメージなどのメッセージデータ交換するテキストメッセージ通信機能とを制限なく利用可能であってよい。テキストメッセージ機能としては、電話番号によるＳＭＳ（ショートメッセージサービス）、携帯メールアドレスによるＭＭＳ（マルチメディアメッセージサービス）、インターネットメールアドレスによる一般のインタネットメールサービス、ＳＮＳ（ソーシャルネットワークサービス）におけるメッセンジャー機能が含まれる。
【００１５】
防犯ストラップ１０が引かれ、防犯ブザー３０２が鳴動を開始するのに伴って、緊急事態であることを伝えるために、防犯ブザー機能付携帯端末１に予め登録した電話番号に対して発呼を開始する。予め登録された電話番号は複数であってもよい。予め登録された電話番号が複数の場合は、予め定めた順番に応じて順位の高い電話番号から発呼して、その発呼から所定時間経過しても前記音声通話が開始されない場合には次の順位の電話番号に発呼するようにしてもよい。登録する電話番号としては、例えば防犯ブザー機能付携帯端末１のユーザが子供である場合には緊急時の連絡先である保護者等の連絡先である。
【００１６】
また、防犯ストラップ１０が引かれ、防犯ブザー３０２が鳴動を開始するのに伴って、予め登録したテキストメッセージ発信先にテキストメッセージを送って緊急事態が発生したことを関係者に伝えてもよい。テキストメッセージの発信先としては、ＳＭＳであれば電話番号、ＭＭＳであれば携帯メールアドレス、または一般のインターネットメールアドレス、ＳＮＳ（ソーシャルネットワークサービス）におけるメッセンジャー機能の送信先ＩＤなどが含まれる。なお、前記テキストメッセージにはテキスト以外の画像イメージを含んでもよい。また、送信タイミングは通話発呼と異なり、一斉送信してもよい。送信内容としては、防犯ブザー起動情報、防犯ブザーを発信したときの防犯ブザー機能付携帯端末１の位置情報、防犯ブザー機能付携帯端末１へ通話発呼するための防犯ブザー機能付携帯端末１の電話番号などを含んでもよい。なお、位置情報は防犯ブザー機能付携帯端末１に搭載されているＧＰＳなどの衛星位置測位システムに基づく緯度経度情報や、その緯度経度情報をプロットした地図画像イメージや、その地図画像イメージをブラウザで表示するためのＵＲＬ情報であってもよい。
【００１７】
図２は、防犯ブザー機能付携帯端末１が接続するネットワーク構成の一例を概略的に示す。防犯ブザー機能付携帯端末１は、無線通信手段により、通信ネットワーク２に接続している。防犯ブザー機能付携帯端末１の防犯ストラップ１０が引かれると防犯ブザー３０２が鳴動を開始するとともに、緊急事態であることを伝えるために、事前に登録した電話番号に対して発呼を自動的に開始する。この登録した電話番号は３件に限定されるものではないが、本実施例では登録した電話番号は３件であり、３件の電話番号は１個ずつ別々の異なる電話番号になっている。よって、３件の電話番号のうちの１個を保有する自動音声発信先携帯端末２０ａ、３件の電話番号のうちの残る２個のうちの１個を保有する自動音声発信先携帯端末２０ｂ、３件の電話番号のうち残る１個を保有する自動音声発信先携帯端末２０ｃを例示する。自動音声発信先携帯端末２０ａ、２０ｂ、２０ｃは、防犯ブザー機能付携帯端末１に対する通信相手機器である。また本実施例では、防犯ブザー機能付携帯端末１に登録した電話番号を１個ずつ保有する自動音声発信先端末は、自動音声発信先携帯端末２０ａ、２０ｂ、２０ｃのようにすべて携帯端末としたが、有線による固定電話であってもよく、防犯ブザー機能付携帯端末１から登録した電話番号にて音声発呼すると通信ネットワーク２を介して着信できる端末であれば何であってもよい。
【００１８】
自動音声発信先携帯端末２０ａ、２０ｂ、２０ｃは、通信ネットワーク２に無線通信手段により接続している。防犯ブザー機能付携帯端末１には自動音声発信先携帯端末２０ａ、２０ｂ、２０ｃの電話番号が防犯ブザー３０２の鳴動開始時の自動音声発呼先として登録されている。登録された情報には電話番号とともに自動音声発呼する優先順位も含まれる。本実施例では、優先順位を自動音声発信先携帯端末２０ａ→２０ｂ→２０ｃとする。防犯ブザー機能付携帯端末１は、防犯ブザー３０２が鳴動を開始すると、まず優先順位の高い自動音声発信先携帯端末２０aに自動的に発呼し呼び出しを開始する。自動音声発信先携帯端末２０ａが所定の時間（例えば３０秒以内）に呼び出しに応じて着呼して通話が開始された場合には、防犯ブザー機能付携帯端末１はそれ以降の自動発信は実行しなくてもよい。
【００１９】
所定の時間内に呼び出しが行われても音声通話が開始しない場合や、話中音であった場合には、防犯ブザー機能付携帯端末１は、自動音声発信先携帯端末２０ａの呼び出しを中止し、登録された優先順位に基づき、自動音声発信先携帯端末２０ｂに自動発信をして呼出し開始する。自動音声発信先携帯端末２０ａと同様に発呼から所定の時間内に着呼して通話が開始された場合には、防犯ブザー機能付携帯端末１はそれ以降の自動発信は実行しなくてもよい。自動音声発信先携帯端末２０ｂに対し所定の時間内に呼び出しが行われても音声通話が開始しない場合、話中音であった場合には、防犯ブザー機能付携帯端末１は、自動音声発信先携帯端末２０ｂの呼び出しを中止して、登録された優先順位に基づき、自動音声発信先携帯端末２０ｃに自動発信をして呼出し開始する。優先順位の最後である自動音声発信先携帯端末２０ｃに対し所定の時間内に呼び出しが行われても音声通話が開始しない場合や、話中音であった場合には、防犯ブザー機能付携帯端末１は自動音声発信先携帯端末２０ｃの呼び出しを中止して自動発信を終了させてもよい。なお自動発信終了後は、防犯ブザー機能付携帯端末１は、外部からの着呼が可能な状態となる。
【００２０】
防犯ブザー機能付携帯端末１は、防犯ストラップ１０が引かれると、防犯ブザー３０２が鳴動を開始するとともに、緊急事態であることを伝えるために、事前に登録したテキストメッセージ発信先に対して発信を自動的に開始する。なおテキストメッセージの送信には優先順位はなく一斉同報通信により登録したテキストメッセージ送信先に対して発信できる。
【００２１】
前記登録したテキストメッセージを受信できる端末がテキストメッセージ発信先携帯端末２２ａ、２２ｂ、２２ｃである。テキストメッセージ発信先携帯端末２２ａ、２２ｂ、２２ｃは、防犯ブザー機能付携帯端末１に対する通信相手機器を構成し、通信ネットワーク２に無線通信手段により接続されており、通信ネットワーク２を介して防犯ブザー機能付携帯端末１からのテキストメッセージを受信する。本実施例では登録したテキストメッセージ発信先は３件としているが、３件に限定されるものではない。なお、テキストメッセージが受信できる端末は、ＳＭＳ、ＭＭＳの場合は、テキストメッセージ発信先携帯端末２２ａ、２２ｂ、２２ｃと基本的に１対１で対応するが、インターネットメールアドレスやメッセンジャーＩＤの場合は受信できる端末は限定されない。しかしながら、本実施例では登録したテキストメッセージ送信先である相手方ユーザがそれぞれ所持するテキストメッセージ発信先携帯端末２２ａ、２２ｂ、２２ｃにて受信した場合を前提に説明するものとする。
【００２２】
テキストメッセージの送信内容には、防犯ブザー機能付携帯端末１へ音声発呼するための防犯ブザー機能付携帯端末１の電話番号が含まれており、テキストメッセージを受信したテキストメッセージ発信先携帯端末２２ａ、２２ｂ、２２ｃの相手方ユーザは、テキストメッセージ発信先携帯端末２２ａ、２２ｂ、２２ｃから通信ネットワーク２を介して防犯ブザー機能付携帯端末１へ音声発呼ができる。
【００２３】
図３は、防犯ブザー機能付携帯端末１の機能構成を概略的に示す。防犯ブザー機能付携帯端末１は、制御部３００、防犯ブザー３０２、防犯スイッチ３０４、携帯無線送受信部３０６、音声通話部（マイク・スピーカー・通話ボタン）３０８、テキストメッセージ作成・記録部３１０、入力操作部３１２、位置測位部３１４、登録電話番号記憶部３１６、登録メールアドレス記憶部３１８、鳴動パターン記憶部３２０、表示部３２２を備える。
【００２４】
制御部３００は、防犯ブザー機能付携帯端末１の機能全般を動作させる制御を行う。制御部３００には、第一のブザー鳴動開始手段３３１、鳴動低下手段３３２、第二のブザー鳴動開始手段３３３、音声発呼手段３３４、テキストメッセージ送信手段３３５、着信限定手段３３６が、制御部３３０に備えた図示のされていないコンピュータのコンピュータプログラムによる動作により具現化するように、設けられる。第一のブザー鳴動開始手段３３１は、防犯スイッチ３０４が入りになると、防犯ブザー３０２の鳴動を開始させるようになっている。鳴動低下手段３３２は、防犯ブザー３０２の鳴動中に音声通話が開始された場合には、防犯ブザー３０２の鳴動を一時停止する又は防犯ブザー３０２の鳴動の音量を低減するようになっている。第二のブザー鳴動開始手段３３３は、音声通話が終了した場合には、防犯ブザー３０２の鳴動を再開するようになっており、再開する場合に防犯ブザー３０２の鳴動の音量を段階的にあげるようになっている。音声発呼手段３３４は、防犯スイッチ３０４が入りになると登録電話番号記憶部３１６に予め登録されている電話番号に対して音声通話の発呼を行うようになっており、登録電話番号記憶部３１６に予め登録された電話番号が複数の場合には、予め定めた順位に応じて順位の高い電話番号から発呼して、その発呼から所定時間経過しても前記音声通話が開始されない場合には次の順位の電話番号に発呼するようになっている。テキストメッセージ送信手段３３５は、防犯スイッチ３０４が入りになると、登録メールアドレス記憶部３１８に予め登録されているテキストメッセージ送信先アドレスに対して防犯ブザー起動情報、前記携帯端末の位置情報、及び前記携帯端末の電話番号を含むテキストメッセージを送信するようになっている。着信限定手段３３６は、防犯スイッチ３０４が入った後は予め登録された登録電話番号記憶部３１６に電話番号緊急時着信電話番号として予め登録されている電話番号からの着信のみを着信するようになっている。
【００２５】
防犯ブザー３０２は、防犯スイッチ３０４が入りになると鳴動パターン記憶部３２０に予め記録された鳴動パターンに基づいて鳴動する。また防犯ブザー３０２は、防犯スイッチ３０が切りになると鳴動を停止する。
【００２６】
携帯無線送受信部３０６は、防犯ブザー機能付携帯端末１が通信ネットワーク２と無線通信手段にて音声通話やテキストメッセージなどのデータの送受信を行う。携帯無線通信方式としては、３Ｇ，ＬＴＥ、４Ｇ、５Ｇなどの通信規格が含まれる。
【００２７】
音声通話部（マイク・スピーカー・通話ボタン）３０８は、通話に必要なユーザインターフェースであるマイク、スピーカー、通話ボタンなどの機能を提供する。スピーカーは防犯ブザー３０２に備わる鳴動スピーカーとは別に備えてもよく、音声通話に適したインターフェースをユーザに提供する。また通話ボタンは例えば図１の通話ボタン１４である。
【００２８】
テキストメッセージ作成・記録部３１０は、ユーザが入力操作部３１２を操作してテキストメッセージを作成し記憶したりする。なお、防犯ブザー３０２が起動した場合に、登録されたテキストメッセージ送信先に送信するテキストメッセージについては、フォーマットが予め記録されており、防犯ブザー３０２の鳴動時には、前記フォーマットに必要な情報を自動的に挿入してテキストメッセージを作成する。自動的に挿入する情報としては、防犯ブザー３０２の鳴動開始時間、防犯ブザー３０２の鳴動を開始した緯度・経度などの位置情報、緯度経度情報をプロットした地図画像、又はその地図画像をブラウザで表示するためのＵＲＬ情報などである。
【００２９】
入力操作部３１２は、図１の操作ボタン１６などであり、表示部３２２の図１の画面表示部１２であり、いずれもユーザに対して入力や状態表示などのユーザインターフェースを提供する。
【００３０】
位置測位部３１４は、例えばＧＰＳにより緯度経度による防犯ブザー機能付携帯端末１の測位を行う。測位された位置情報は前述のテキストメッセージ３１０にて防犯ブザー３０２の鳴動の開始時に送信されるテキストメッセージに挿入される。
【００３１】
登録電話番号記憶部３１６には、防犯ブザー３０２の鳴動の開始時に自動的に音声発呼する自動音声発呼先となる電話番号が発呼する優先順位とともに記録されている。また、登録メールアドレス記憶部３１８には、防犯ブザーの鳴動の開始時に自動的に送信するメールアドレスを含むテキストメッセージ発信先が記憶されている。防犯ブザー３０２が鳴動を開始すると、登録電話番号記憶部３１６から電話番号が、登録メールアドレス記憶部３１８からはテキストメッセージ送信先が、それぞれ読みだされて制御部３００により定められた手順に基づき音声発呼ならびにテキストメッセージ送信が実行される。
【００３２】
鳴動パターン記憶部３２０には、防犯ブザー３０２の鳴動パターンとして、図４に示した第一の鳴動パターン４０と図４に示した第二の鳴動パターン４２とが記憶されている。音声通話時には、ユーザの音声通話の妨げにならないよう鳴動音量を下げる、または停止させる設定が記憶されている。また、鳴動開始パターンには２種類あり、第一の鳴動パターン４０としては、防犯ブザー起動時の鳴動パターン、第二の鳴動パターン４１としては、通話終了後に音量を下げた又は停止させた鳴動を再開する際の鳴動パターンである。第二の鳴動パターン４１では通話終了直後のユーザをブザー鳴動音量で驚かせないようステップトーンなどにより徐々に音量あげるようなパターンとしてもよい。また通話終了直後の所定の時間は、所定値以上に鳴動音量を上げない制限を加えたパターンであってもよい。
【００３３】
図４は、防犯ブザー機能付携帯端末１の防犯ブザー３０２の鳴動パターンを概略的に示す。縦軸が音量であり、横軸が時間である。まずＳ４００にて防犯スイッチＯＮ、すなわち防犯スイッチ３０４が入りになると、第一の鳴動パターン４０として、即時に最大音量の音量まで鳴動させる。周囲の注意を強く引きつけるためである。なお、図４では即時に最大音量まで上げているが、周囲の注意を強く引きつけられる程度に短時間に最大音量に上がっていく鳴動開始パターンや音色の変化で注意を引く鳴動パターンであってもよい。
【００３４】
Ｓ４１０にて防犯ブザー機能付携帯端末１の発呼や、登録された電話番号からの防犯ブザー機能付携帯端末１への着呼によって、防犯ブザー機能付携帯端末１と通信相手機器との間での通話が開始した場合には、防犯ブザー３０２の鳴動を一旦停止させる。これはブザー鳴動音を下げないと通話の妨げになるからである。図４では一旦停止としているが、一旦停止するのではなく、通話が可能な程度に音量を微弱に下げるだけでもよい。通話中の相手先に防犯ブザー音が微弱ながら聞こえれば、相手先に緊急事態だと気づきを与えることができるからである。
【００３５】
Ｓ４２０にて前記防犯ブザー機能付携帯端末１と通信相手機器との間での通話が終了した場合には、第二の鳴動パターン４２で音量を再び上げる。この場合には通話終了直後に音量を即時に最大にすると通話していたユーザを驚かせてしまう恐れがあることから、図のように段階的に音量をあげていくステップトーン方式にて音量をある程度の時間をかけて最大値まであげる。なお、図４では７段階のステップトーンにて最大値まで音量を上げていくが、ステップ数はこれより少なくても多くてもよい。また、ステップごとに音色、音階を変えるなどの変化をつけて、ユーザに心地よさを感じさせつつ、防犯ブザーとしての機能を発揮する鳴動開始パターンとしてもよい。また、通話終了からの時間経過に応じて段階的に上げられる最大音量だけを規定しておき、その範囲内で音量、音色、音階を自由に変化させられる鳴動パターンであってもよい。
【００３６】
Ｓ４４０にて防犯スイッチＯＦＦ、すなわち防犯スイッチ３０４が切りになった場合には、防犯ブザー３０２の鳴動を完全に停止させる。なお、図４では即時にブザー鳴動音量をゼロにしているが、フェイドアウトするように音量を下げていってもよい。
【００３７】
なお、Ｓ４２０で第二の鳴動開始パターン４２で鳴動再開後に新たな着信があり通話が開始した場合にもＳ４１０とＳ４２０の間の鳴動パターン、すなわち、防犯ブザー３０２の鳴動が一時的に停止するか又は防犯ブザー３０２の鳴動の音量を低減するものとする。
【００３８】
図５及び図６は、防犯ブザー機能付携帯端末１の防犯ブザー機能の流れの一例を概略的に示す。図５及び図６における結合子Ａは、互いに接続されていることを示す。図５において、Ｓ５０２は、防犯ブザー３０２が鳴動を開始する前の状態である。Ｓ５０４は、防犯ブザー機能付携帯端末１が防犯ブザー機能を起動していない一般的な携帯端末として利用が可能な状態であり、通常の発着信が可能な通常発着信モードになっている。次にＳ５０６にて防犯スイッチ３０４がＯＮとなり、防犯ブザー機能が起動を開始すると、防犯ブザー３０２の鳴動を開始する。そして、Ｓ５０８にて登録したテキストメッセージ送信先であるメールアドレスやＳＭＳ送信先電話番号にテキストメッセージを一斉送信する。さらに、同時にＳ５１０にて通常発着信モードから自動発呼モードになり自動音声発呼を開始する。モード変更後はユーザが所定の操作でモード変更を解除しない限り、手動で発着信ができなくなる。
【００３９】
Ｓ５１０で自動発呼モードへ変更後は予め登録された自動発呼先電話番号として図３の登録電話番号記憶部３１６に登録された電話番号（本実施例では３つ）に対して優先順位の高い電話番号から発呼していく。Ｓ５１０でまず一番優先順位の高い電話番語に対して第１発呼を行う。Ｓ５１４にて所定時間（例えば３０秒）に通話を開始した場合には、Ｓ５１６にて防犯ブザー３０２の鳴動を一時停止する。Ｓ５１８にて通話終了した場合には、Ｓ５３６にて第二の鳴動開始パターン４１であるステップトーンにて防犯ブザー３０２の鳴動を開始する。そして、図６のＳ５３８にて自動発呼にて通話が成立したことから自動発呼動作は終了し、自動発呼モードから発信先限定着信モードへ変更する。
【００４０】
図５に戻り、Ｓ５１４にて所定時間内に通話が開始されないときは、第１発呼を切断して、自動発呼先電話番号のうち優先順位が２番目の電話番号に対してＳ５２０の第２発呼を開始する。Ｓ５２２にて所定時間内に通話を開始した場合にはＳ５２４で防犯ブザー３０２の鳴動を一時停止し、Ｓ５２６にて通話終了すると、Ｓ５３６にてステップトーンで防犯ブザー３０２の鳴動を開始し、図６のＳ５３８にて自動発呼にて通話が成立したことから自動発呼動作は終了し、自動発呼モードから発信先限定着信モードへ変更する。
【００４１】
図５のＳ５２２にて所定時間内に通話が開始されないときは、第２発呼を切断して、自動発呼先電話番号のうち優先順位が３番目で登録された最後の電話番号に対してＳ５２８の第３発呼を開始する。Ｓ５３０にて所定時間内に通話を開始した場合にはＳ５３２で防犯ブザー３０２の鳴動を一時停止し、Ｓ５３４にて通話終了すると、Ｓ５３６にてステップトーンで防犯ブザー３０２の鳴動を開始し、図６のＳ５３８にて自動発呼にて通話が成立したことから自動発呼動作は終了し、自動発呼モードから発信先限定着信モードへ変更する。
【００４２】
図５のＳ５３０にて所定時間内に通話が開始されないときは、登録された自動発呼先電話番号へ発呼したが、すべて所定時間以内に通話が開始できなかったことから、第３発呼を切断して、自動発呼動作は終了し、Ｓ５３８にて自動発呼モードから発信先限定着信モードへ変更する。
【００４３】
図６において、Ｓ５３８にて自動発呼モードから発信先限定着信モードへ変更すると、防犯ブザー機能付携帯端末１は、予め登録された電話番号からの着信のみ通話が可能となる。ここで予め登録された電話番号とは、例えばＳ５０８で一斉送信したテキストメッセージを受信する相手先の電話番号であってもよい。これにより、テキストメッセージを受信した相手先からの電話を優先的に着信することができる。
【００４４】
Ｓ５４０にて登録された電話番号が発信元である着呼であった場合には、ユーザは通話ボタン１４を押すことにより通話を開始することができる。通話を開始したときは、Ｓ５４２にて防犯ブザー３０２の鳴動を一時停止する。そしてＳ５４４にて通話が終了するとＳ５４６にてステップトーンの鳴動を開始する。
【００４５】
Ｓ５４８で防犯スイッチＯＦＦにより、防犯ブザー３０２の鳴動が停止し、Ｓ５５０にて発信元限定着信モードから通常発着信モードへ復帰して、Ｓ５５２のとおり一連の流れが終了する。
【００４６】
図７は、防犯ブザー機能付携帯端末１の防犯ブザー機能の起動時の自動発呼先テーブルの一例を概略的に示す。本テーブルでは登録ＩＤ、発呼順位、自動発呼先電話番号、発信先名を登録した場合である。自動発呼動作は、所定の条件のもと発呼順位の順に自動発呼先電話番号へ発呼を行う。少なくとも発呼順位と自動発呼先電話番号の情報自動発呼動作が必要となる。
【００４７】
図８は防犯ブザー機能付携帯端末１の防犯ブザー機能の起動時のテキストメッセージ発信先テーブルの一例を概略的に示す。本テーブルでは登録ＩＤ、携帯メールアドレス、発信先電話番号、発信先名を登録した場合である。防犯ブザー起動時、防犯ブザー機能付携帯端末１は本テーブルに登録された携帯メールアドレスに一斉送信を行う。受信した発信者は受信したメールのテキストメッセージから防犯ブザーが起動を開始した時間、起動した位置と、防犯ブザー機能付携帯端末１の電話番号を知ることができ、すぐに防犯ブザー機能付携帯端末１の電話番号に対して音声発呼することができる。防犯ブザー機能付携帯端末１が自動発呼動作中は着信しないが、自動発呼動作終了後は着信が可能になる。なお、防犯ブザー機能付携帯端末１は、着呼を受けた発信先の携帯電話番号が、本テーブルの発信先電話番号と合致する場合に限って通話可能にして着呼可能な端末を制限することができる。
【符号の説明】
【００４８】
１      防犯ブザー機能付携帯端末
２      通信ネットワーク
１０    防犯ブザー起動ストラップ
１２    画面表示部   
１４    通話ボタン
１６    操作ボタン
２０ａ  自動音声発信先携帯端末
２０ｂ  自動音声発信先携帯端末
２０ｃ  自動音声発信先携帯端末
２２ａ  テキストメッセージ発信先携帯端末
２２ｂ  テキストメッセージ発信先携帯端末
２２ｃ  テキストメッセージ発信先携帯端末
４０    第一のブザー鳴動開始パターン
４２    第二のブザー鳴動開始パターン
３００  制御部
３０２  防犯ブザー
３０４  防犯スイッチ
３０６  携帯無線送受信部
３０８  音声通話部（マイク・スピーカー・通話ボタン）
３１０  テキストメッセージ作成・記録部
３１２  入力操作部
３１４  位置測位部
３１６  登録電話番号記憶部
３１８  登録メールアドレス記憶部
３２０  鳴動パターン記憶部
３２２  表示部
３３１  第一のブザー鳴動開始手段
３３２  鳴動低下手段
３３３  第二のブザー鳴動開始手段
３３４  音声発呼手段
３３５  テキストメッセージ送信手段
３３６  着信限定手段
【図１】
2018129778.tif 000003
【図２】
2018129778.tif 000004
【図３】
2018129778.tif 000005
【図４】
2018129778.tif 000006
【図５】
2018129778.tif 000007
【図６】
2018129778.tif 000008
【図７】
2018129778.tif 000009
【図８】
2018129778.tif 000010